(57)【要約】【課題】インキ垂れ下がりが発生しにくく、かつ筆記時に紙繊維を巻き込みにくいボールペンチップ及びボールペンチップの製造方法を提供する。【解決手段】底壁の中央にインキ流通孔、該インキ流通孔から放射状に延びる放射状溝を有するボール抱持室内にボールを挿置し、チップ先端部を内側に塑性変形させるカシメ加工を施し、ボールの一部をチップ先端部より突出させて回転自在に抱持してなるボールペンチップにおいて、前記チップ先端部の先端面の角部を面取りする。【選択図】      図１
2005014390.tif 000002
【特許請求の範囲】
【請求項１】
底壁の中央にインキ流通孔、該インキ流通孔から放射状に延びる放射状溝を有するボール抱持室内にボールを挿置し、チップ先端部を内側に塑性変形させるカシメ加工を施し、ボールの一部をチップ先端部より突出させて回転自在に抱持してなるボールペンチップにおいて、前記チップ先端部の先端面の角部を面取りしたことを特徴とするボールペンチップ。
【請求項２】
前記チップ先端部の先端面の角部を面取りが、丸みを形成する面取りであることを特徴とする請求項１に記載のボールペンチップ。
【発明の詳細な説明】
【０００１】
【発明の属する技術分野】
本発明は、チップ先端部を内側に塑性変形させるカシメ加工を施すことにより、ボールの一部をチップ先端部より突出させて回転自在に抱持してなるボールペンチップに関する。
【０００２】
【従来の技術】
従来から、図４に示すように底壁２５の中央にインキ流通孔２３、該インキ流通孔２３から放射状に延びる放射状溝２４を有するボール抱持室２２内にボール１０を挿置し、チップ先端部２６を内側に塑性変形させるカシメ加工を施すことにより、ボール１０の一部をチップ先端部２６より突出させて回転自在に抱持してなるボールペンチップ２１についてよく知られている。
【０００３】
前記ボールペンチップを装着してなるボールペンにおいて、油性インキや剪断減粘性を付与したインキ等は、インキ収容管にインキ吸蔵体を配設しない、インキを直詰めするタイプであるため、非使用時にチップ先端部を下向きにした状態で放置した際等に、チップ先端部からのインキが垂れ下がる、いわゆるインキ垂れ下がり現象が発生するため注意が必要となる。
【０００４】
こうした従来のボールペンチップ２１においては、チップ先端部２６の先端面２７が平坦状であって、カシメ加工によりチップ先端部２６を内側に所定角度の塑性変形させている。この時、チップ先端部２６はボールが支点となり外側の壁面及び内側の壁面が延びて、チップ先端部２６の先端面２７の中心部に凹部２８が形成される。
【０００５】
また、チップ先端部の先端面の凹み部を有する従来のチップ構造は、筆記時にチップ先端部の先端面の角部が紙面に接触した時に、紙面を引っ掻き、紙繊維を巻き込む現象を起こすという問題があった。
【０００６】
こうしたチップ先端部の先端面の外側角部が紙面に当接することを防止するため、特開２０００−６５７１号公報の「ボールペンチップの製造装置及びボールペンチップ」や特開平８−７２４６０号公報の「ボールペンチップの製造方法」に開示されているように、かしめ加工後にチップ先端部の先端面の外側角部を塑性変形させていた。
【０００７】
ところで、油性ボールペンのインキ吐出のメカニズムは、チップ先端のボールが回転し、ボールとチップ先端部の内壁との微小隙間からボールに付着したインキが筆記面に転写されることによって筆跡となり、水性ボールペンのインキ吐出のメカニズムは、チップ先端のボールの回転を背景にして、筆記面に毛管、浸透作用によってインキが移行することによって筆跡となる等、インキの特性によってインキ吐出のメカニズムは相違する。また、油性ボールペンにおいては、チップ先端から吐出され筆記面に転写されなかった余剰なインキが再びチップ内に戻る、インキリターンが行われている。
【０００８】
【特許文献１】
「特開２０００−６５７１号公報」
【特許文献２】
「特開平８−７２４６０号公報」
【０００９】
【発明が解決しようとする課題】
本発明者が前述したインキが垂れ下がりについて検討した結果、前述したような、コイルスプリング等によりチップ内からのインキの流出を防止したとしても、インキ粘度やボールとチップ先端部の内壁との微小隙間の大きさによっても異なるが、インキリターン時に、インキがチップ先端部の先端面の凹み部に溜まりチップ内に戻りにくいため、チップ先端部に溜まり、この余剰なインキが、チップ先端から垂れ下がってしまうために発生していることが分かった。
【００１０】
また、かしめ加工後にチップ先端部の先端面の外側角部を面取りする等、形状を変更することは、寸法精度を大きく該する恐れがある。さらに、かしめ加工と同時にチップ先端部の先端面の外側角部を塑性変形すると、チップ先端部に偏肉部が発生しやすく、ボール抱持力の低下やボールとチップ先端部の内壁との微小隙間にバラツキが発生しやすい。
【００１１】
本発明はこれらの従来技術に鑑みてなされたものであって、インキ垂れ下がりが発生しにくく、かつ筆記時に紙繊維を巻き込みにくいボールペンチップ及びボールペンチップの製造方法を提供することにある。
【００１２】
【課題を解決するための手段】
本発明は、前記問題を解決するために、底壁の中央にインキ流通孔、該インキ流通孔から放射状に延びる放射状溝を有するボール抱持室内にボールを挿置し、チップ先端部を内側に塑性変形させるカシメ加工を施し、ボールの一部をチップ先端部より突出させて回転自在に抱持してなるボールペンチップにおいて、前記チップ先端部の先端面の角部を面取りする。
【００１３】
また、前記チップ先端部の先端面の角部を面取りが、丸みを形成する面取りとする。
【００１４】
【発明の実施の形態】
図１から図３に示す実施の形態のボールペンチップ１は、ボール抱持室２の中央にインキ流通孔３と該インキ流通孔３に連通する放射状に延びた放射状溝４を有した底壁５にボール１０を載置し、かしめ加工具（図示せず）により、チップ先端部６を所定のかしめ角度で内側（図１、２の矢印方向）に塑性変形させて、ボール１０の一部がチップ先端部６より突出するように回転自在に抱持してある。
【００１５】
チップ先端部６のかしめ加工前に、チップ先端部６の先端面７の外側及び内側の角部８を面取りすることにより、かしめ加工後にチップ先端部の先端面は凸部９状となり、かしめ加工によって、チップ先端部６の内壁及び外壁が延びても、図４に示す従来のボールペンチップ２１のような先端面に凹入部２８が形成されず、凸部９が図１の矢印方向に延びる。
【００１６】
そのため、前述したように、インキリターン時にボール１０とチップ先端部６の微小隙間からチップ内に戻りやすくすることができ、インキ垂れ下がりが発生しにくくなる。また、凹入部が形成されることによって、チップ先端部の先端面のエッジが形成されないため、筆記時に紙面にチップ先端部の先端面が接触しにくく、かつ仮に接触しても、紙面を引っ掻きにくく、紙繊維を巻き込みにくくすることができる。
【００１７】
本発明における面取りは、Ｃ面取りやＲ面取り等、特に限定されるものでないが、Ｒ面取り、すなわち、チップ先端部の先端面の角部に丸みを形成することによって、紙面に接触したときに、紙面を引っ掻きにくい。また、チップ形状も特に限定されるものでなく、チップ先端部の先端面の角部に面取りを施してあれば、カシメ角度、ボール座の有無、放射状溝の数や形状等、従来から知れているボールペンチップ形状を適宜選択して形成すればよい。
【００１８】
【発明の効果】
本発明のボールペンチップは、前述したような構造なので、インキ垂れ下がりが発生しにくく、かつ筆記時に紙繊維を巻き込みにくいボールペンチップ及びボールペンチップの製造方法を提供することができた。
【図面の簡単な説明】
【図１】第１の実施の形態における縦断面図である。
【図２】図１おける、一部省略した要部拡大縦断面図である。
【図３】図１におけるカシメ加工前の状態を示す一部省略した要部拡大縦断面図である。
【図４】従来のボールペンチップを示す一部省略した要部拡大縦断面図である。
【符号の説明】
１  ボールペンチップ
２  ボール抱持室
３  インキ流通孔
４  放射状溝
５  底壁
６  チップ先端部
７  先端面
８  面取り部
９  凸部
１０  ボール
【図１】
2005014390.tif 000003
【図２】
2005014390.tif 000004
【図３】
2005014390.tif 000005
【図４】
2005014390.tif 000006